(57)【特許請求の範囲】
【請求項１】
製図板（２）と、該製図板（２）の両側に固設された一対の縦レール（４）と、該縦レール（４）に移動自在に取り付けられた縦カーソル（６）と、前記縦カーソル（６）に揺動自在に軸（１８）支された側板（１６）と、該側板（１６）に両端が架設され前記製図板（２）の表面側から裏面側に１８０度反転移動可能なグリップ用のスケールホルダ（１４）と、前記スケールホルダ（１４）に取り付けられたスケール（１２）と、前記スケール（１２）を製図板（２）の裏面位置で脱着可能に固定するためのスケール保持手段（２２）と、製図板（２）の横幅と略同長の把手用直線部（２８ａ）と一対の垂直直線部（２８ｂ）とが略コ字状に屈折形成され前記把手用直線部（２８ａ）が前記製図板（２）の後縁部（２ｂ）に近い該製図板（２）の裏面に前記後縁部（２ｂ）に対して平行な軸線を中心として回転自在に且つ該裏面との間に指の入る隙間を存して取り付けられた細長棒状部材から成る後方脚部材（２８）と、前記後方脚部材（２８）の一対の垂直直線部（２８ｂ）のうちの一方の垂直直線部（２８ｂ）に前記後方脚部材（２８）に対して略ゼロ度と少なくとも９０度の範囲で開閉自在に枢支され図板支持用水平直線部（３２ａ）と一対の垂直直線部（３２ｂ）が略コ字状に屈折形状された細長棒状部材から成る左側方脚部材（３２）と、前記後方脚部材（２８）の一対の垂直直線部（２８ｂ）のうちの他方の垂直直線部（２８ｂ）に前記後方脚部材（２８）に対して略ゼロ度と少なくとも９０度の範囲で開閉自在に枢支され図板支持用水平直部（３４ａ）と一対の垂直直線部（３４ｂ）が略コ字状に屈折形成された細長棒状部材から成る右側方脚部材（３４）とを備え、前記左右側方脚部材（３２）（３４）を閉じた時これらが互いに重ならないようにしたことを特徴とする折り畳み型平行定規装置。
【請求項２】
前記図板支持用水平直線部（３２ａ）（３４ａ）のそれぞれの長さを、前記把手用直線部（２８ａ）の長さの１／２以下としたことを特徴とする「請求項１」に記載の折り畳み型平行定規装置。
【請求項３】
前記後方脚部材（２８）及び左右側方脚部材（３２）（３４）の開放端の近傍に細長棒状の補強直線部（２８ｃ）（３２ｃ）（３４ｃ）を架設したことを特徴とする「請求項１」に記載の折り畳み型平行定規装置。
【請求項４】
前記製図板（２）の裏面側と左右側方脚部材（３２）（３４）の図板支持用水平直線部（３２ａ）（３４ａ）との間に、角度フック（２４）と凸部（３８）とから成る製図板角度調整機構を設けたことを特徴とする「請求項１」に記載の折り畳み型平行定規装置。
【発明の詳細な説明】
【０００１】
【発明の属する技術分野】
本発明は折りたたみが可能な平行定規装置に関する。
【０００２】
【従来の技術】
水平レール等を図板裏面側に退避させることができ、且つ不用意に動くことのないように簡易固定できるようにした平行定規が特開平８-３１０１９８号公報等に開示されている。
また、全体をコンパクトに折りたたむことができるようにした製図台が特公昭５０−８６７１号公報及び実公平５−１７９３９号公報等に開示されている。
【０００３】
【発明が解決しようとする課題】
通常、平行定規は、机の天板の上に載置して使用する。また、製図台に平行定規の図板を固定して使用している。机の上に平行定規を載置して作図作業を行う場合、机が部屋の中で大きな占有面積を占めてしまう。
また、折りたたみ式製図台は、図板を固定するための支持枠が、脚部材とは別個に設けられている。そのため、折りたたみ時、脚部材と支持枠が重なってしまい厚さ方向の幅が大きくなってしまうという問題点があった。
本発明は、平行定規としてはもちろん、模型造りの作業机としても使え、厚さ方向の折りたたみスペースをきわめてコンパクトにできる平行定規装置を提供することを目的とするものである。
【０００４】
【課題を解決するための手段】
上記目的を達成するため、本発明は、製図板（２）と、該製図板（２）の両側に固設された一対の縦レール（４）と、該縦レール（４）に移動自在に取り付けられた縦カーソル（６）と、前記縦カーソル（６）に揺動自在に軸（１８）支された側板（１６）と、該側板（１６）に両端が架設され前記製図板（２）の表面側から裏面側に１８０度反転移動可能なグリップ用のスケールホルダ（１４）と、前記スケールホルダ（１４）に取り付けられたスケール（１２）と、前記スケール（１２）を製図板（２）の裏面位置で脱着可能に固定するためのスケール保持手段（２２）と、製図板（２）の横幅と略同長の把手用直線部（２８ａ）と一対の垂直直線部（２８ｂ）とが略コ字状に屈折形成され前記把手用直線部（２８ａ）が前記製図板（２）の後縁部（２ｂ）に近い該製図板（２）の裏面に前記後縁部（２ｂ）に対して平行な軸線を中心として回転自在に且つ該裏面との間に指の入る隙間を存して取り付けられた細長棒状部材から成る後方脚部材（２８）と、前記後方脚部材（２８）の一対の垂直直線部（２８ｂ）のうちの一方の垂直直線部（２８ｂ）に前記後方脚部材（２８）に対して略ゼロ度と少なくとも９０度の範囲で開閉自在に枢支され図板支持用水平直線部（３２ａ）と一対の垂直直線部（３２ｂ）が略コ字状に屈折形状された細長棒状部材から成る左側方脚部材（３２）と、前記後方脚部材（２８）の一対の垂直直線部（２８ｂ）のうちの他方の垂直直線部（２８ｂ）に前記後方脚部材（２８）に対して略ゼロ度と少なくとも９０度の範囲で開閉自在に枢支され図板支持用水平直部（３４ａ）と一対の垂直直線部（３４ｂ）が略コ字状に屈折形成された細長棒状部材から成る右側方脚部材（３４）とを備え、前記左右側方脚部材（３２）（３４）を閉じた時これらが互いに重ならないように、これらの図板支持用水平直線部（３２ａ）（３４ａ）のそれぞれの長さを、前記把手用直線部（２８ａ）の長さの１／２以下とし、且つ、前記後方脚部材（２８）及び左右側方脚部材（３２）（３４）の開放端の近傍に細長棒状の補強直線部（２８ｃ）（３２ｃ）（３４ｃ）を架設し、且つ、前記製図板（２）の裏面側と左右側方脚部材（３２）（３４）の図板支持用水平直線部（３２ａ）（３４ａ）との間に、角度フック（２４）と凸部（３８）とから成る製図板角度調整機構を設けたものである。
【０００５】
【発明の実施の形態】
以下に本発明の実施の形態を、添付した図面を参照して詳細に説明する。
（２）は平行定規の製図板であり、これの両側に縦レール（４）（４）が互いに平行に固設されている。前記縦レール（４）（４）にはそれぞれ縦カーソル（６）（６）が、コロ（図示省略）を介して移動自在に取り付けられている。前記縦カーソル（６）（６）は縦レール（４）（４）の両端のベルトプーリ(図示省略)に掛けられた無端状のタイミングベルト（図示省略）に連結し、左右のベルトプーリを連結する連結シャフト(図示省略)によって、互いに同期して、縦レール（４）（４）に沿って移動するように構成されている。
【０００６】
前記縦カーソル（６）（６）には、それぞれ図５に示すようにアーム(８)の一方が所定範囲で回転自在に軸（１０）支されている。アーム（８）の他方にはスケール（１２）が接着されたグリップ用スケールホルダ（１４）の両端の側板（１６）が製図板（２）の側面に対して平行な平面内で回転自在に軸(１８)支されている。
前記スケールホルダ（１４）を手で持って持ち上げると、側板（１６）は、軸(１８)を中心として回動し、この回動によってスーケル（１２）を製図板（２）面から離れる方向に上昇させることができる。スケール（１２）を製図板（２）上に下ろすと、スケール（１２）は、製図板（２）面に水平に当接する。縦カーソル（６）（６）を図５に示すように、縦レール（４）（４）に沿って、それらの手前側の端部に、縦レール（４）（４）の端部キャップのストッパー面に当接するまで移動すると、スケール（１２）を、図５、６に示すように、軸（１８）を中心として製図板（２）の手前側の前縁部（２ａ）に固定された鉛筆受け（２０）を超えて、製図板（２）の裏側まで、反転させることができるように構成されている。
【０００７】
前記鉛筆受け（２０）は、断面Ｕ字状の収納部を有し下面にスケール保持手段(２２)が固定されている。前記スケール（１２）を、製図板（２）の裏側に反転させたとき、図６及び図７に示すように、スケール（１２）を前記スケール保持手段（２２）に挿入することによって、スケール（１２）を製図板（２）の裏側にこれに対して水平に近接又は密着した状態で脱着自在に固定することができる。
（２４）（２４）は角度フックであり、製図板（２）の手前側の裏面の両側に揺動自在に軸（２６）支されている。（２８）は金属パイプなどの細長棒状部材から成る後方脚部材であり製図板（２）の横幅と略同長の把手用直線部（２８ａ）と、該直線部（２８ａ）とコ字状を形成し、該直線部に対して直角に屈折された互いに同一長さの一対の垂直直線部（２８ｂ）（２８ｂ）と、垂直直線部（２８ｂ）（２８ｂ）の開放端の近傍に架設された補強直線部（２８ｃ）とから構成されている。
【０００８】
前記後方脚部材（２８）の把手用直線部（２８ａ）は、製図板（２）の裏面に、その後縁部（２８ｂ）に対して所定間隔を在して水平に配置され、該水平状態において両端の近傍部分が、製図板（２）の裏面に固定された軸支部材（３０）（３０）によって製図板（２）裏面との間に指が入る程度の間隔を在して回転自在に取り付けられている。
（３２）（３４）は、金属パイプから成る一対の側方脚部材であり、それぞれ図板支持用水平直線部（３２ａ）（３４ａ）と、これに対してコ字状となるように直角に屈曲された垂直直線部（３２ｂ）（３２ｂ）（３４ｂ）（３４ｂ）と、垂直直線部（３２ｂ）（３２ｂ）間及び（３４ｂ）（３４ｂ）間に架設された補強直線部（３２ｃ）（３４ｃ）とから構成されている。
【０００９】
左側の側方脚部材（３２）の一対の垂直直線部（３２ｃ）（３２ｃ）は、一方が他方よりも若干短く設定され、右側の側方脚部材（３４）も同様に、一対の垂直直線部（３４ｃ）（３４ｃ）は、一方が他方よりも若干短く設定されている。前記側方脚部材（３２）（３４）は、それぞれ、短い方の垂直直線部（３２ｃ）（３４ｃ）が、後方脚部材（２８）の垂直直線部（２８ｂ）（２８ｂ）にヒンジ（３６）を介して、垂直直線部（２８ｂ）（２８ｂ）に平行な軸線を中心として回動自在に取り付けられている。前記側方脚部材（３２）（３４）の図板支持用水平直線部（３２ａ）（３４ａ）には、角度フック（２４）（２４）を係止するための凸部（３８）が固定されている。
【００１０】
次に、本装置の組み立て及び折りたたみ操作について説明する。
図１は本装置を折りたたんだ状態を示し、図３は、本装置を組み立てた状態を示している。
図１のように折りたたんだ状態においてスケール（１２）は、製図板（２）の前方の裏側に固定されている。また、左右の側方脚部材（３２）（３４）は、後方脚部材（２８）に対して角度ゼロの状態となるように、後方脚部材（２８）の内側に互いに閉じる方向に回動され、且つ、後方脚部材（２８）は、製図板（２）に対して角度ゼロとなるように回動され、製図板（２）、後方脚部材（２８）、及び左右側方脚部材（３２）（３４）は、略同一平面上に折りたたまれている。該状態において、後方脚部材（２８）の把手用直線部（２ｂ）は、図１に示すように製図板（２）の裏面の、その後部縁（２ｂ）の近傍に、これに対して水平に位置している。
【００１１】
従って平行定規装置を使用しないときは、全体を図１の如く折りたたみ、製図板（２）の後部縁（２ｂ）を上にして把手用直線部（２８ａ）を手で持ち、部屋の任意の位置に運んでその位置に片付けておくことができる。該状態において、装置全体の面積は、製図板（２）の大きさと略同一であり、且つ脚部材（２８）（３２）（３４）が製図板（２）の厚み方向に互いに重なることがなく製図板（２）に密着している。従って、製図板（２）の厚み方向に脚部材（２８）（３２）（３４）が突出することがなく、しかも、スケール（１２）が製図板（２）の表面に突出せず全体がきわめて薄く且つコンパクトに折りたたまれる。
平行定規装置を使用する場合には、まず、図２に示すように、製図板（２）を持ちながら、後方脚部材（２８）を床面に対して垂直に立て、左右の側方脚部材（３２）（３４）を、後方脚部材（２８）に対してほぼ直角の回動限界位置になるまで手前に開く。
【００１２】
次に、製図板（２）の裏側にある角度フック（２４）の複数の係合凹部（４０）のうちの一つを図４に示すように、側方脚部材（３２）（３４）の凸部（３８）に嵌合セットし、製図板（２）の傾斜角を３段階の角度のうちの好みの角度に設定する。次に、図３に示すようにスケール（１２）をスケール保持手段（２２）から外し、製図板（２）の裏面から表面に反転移動させ、装置の組み立てが完了する。
装置の全体を折りたたむ場合は、上記組み立て作業と逆の作業を行うことにより、図１に示す如く折りたたむことができる。
【００１３】
【発明の効果】
本発明は上述の如く構成したので、全体をきわめて薄くコンパクトに折りたたむことができ、しかも持ち運びにきわめて便利であるという効果が存する。
【図面の簡単な説明】
【図１】平行定規装置を折りたたんだ状態の外観図である。
【図２】平行定規装置の組み立て状態を示す外観図である。
【図３】平行定規装置の組み立てた状態を示す外観図である。
【図４】平行定規装置の一部の側面図である。
【図５】スケールを反転させた状態の外観図である。
【図６】スケール反転固定動作を示す側面図である。
【図７】平行定規装置の一部の外観図である。
【図８】平行定規装置の一部の外観図である。
【符号の説明】
２    製図板
２ａ  前縁部
２ｂ  後縁部
４    縦レール
６    縦カーソル
８    アーム
１０  軸
１２  スケール
１４  スケールホルダー
１６  側板
１８  軸
２０  鉛筆受け
２２  スケール保持手段
２４  角度フック
２６  軸
２８  後方脚部材
２８ａ  把手用直線部
２８ｂ  垂直直線部
２８ｃ  補強直線部
３０  軸支部材
３２  左側方脚部材
３４  右側方脚部材
３２ａ  右側方脚部材
３４ａ  図板支持用水平直線部
３２ｂ  垂直直線部
３４ｂ  垂直直線部
３２ｃ  補強直線部
３４ｃ  補強直線部
３６  ヒンジ
３８  凸部
４０  係合凹部
【図１】
0003919326.tif 000002
【図２】
0003919326.tif 000003
【図３】
0003919326.tif 000004
【図４】
0003919326.tif 000005
【図５】
0003919326.tif 000006
【図６】
0003919326.tif 000007
【図７】
0003919326.tif 000008
【図８】
0003919326.tif 000009